(57)【要約】      （修正有）【課題】転がり歩行がより安定的になされるようにする一方、歩行または停止時に地面と足裏との間に緩衝作用をするようになって着地感を向上させて、使用者の体重を均一に分散して足の疲れ度を最小化するだけでなく、補強部材の一部を履物外側に露出するようにして、美観を向上させるようにする履物中敷きを提供する。【解決手段】上部中敷き４と下部中敷き５でなされた履物中敷きが具備されて、上部中敷き４と下部中敷き５との間には全体的に補強部材６が埋入設置されて、補強部材６は足裏形状の補強板７両側に羽部８が一定な間隔で突出形成されて、羽部８の端部は上下方向に相互に連続反復折曲形成されてなされて、上下部中敷き４、５の両側面には補強部材６の羽部８が配置される安着溝１１及び下敷片１２がそれぞれ形成されて、羽部８は履物中敷き３の側面に露出することを特徴とする。【選択図】図３
2012075864.tif 000002
【特許請求の範囲】
【請求項１】
上部中敷き４と下部中敷き５でなされた履物中敷き３が具備されて、
前記上部中敷き４と下部中敷き５との間には全体的に補強部材６が埋入設置されて、
前記補強部材６は、足裏形状の補強板７両側に羽部８が一定な間隔で突出形成されて、前記羽部８の端部は上下方向に相互に連続反復折曲形成されてなされて、
前記上下部中敷き４、５の両側面には前記補強部材６の羽部８が配置される安着溝１１及び下敷片１２がそれぞれ形成されて、前記羽部８は前記履物中敷き３の側面に露出されることを特徴とする履物中敷き。
【請求項２】
前記羽部８は、甲皮側に長く形成して歩行時に均衡維持を向上させたことを特徴とする請求項１に記載の履物中敷き。
【請求項３】
前記羽部８は、隣合う羽部８と連携して文字または図形で形成されることを特徴とする請求項１に記載の履物中敷き。
【請求項４】
前記補強部材６の補強板７には幅方向に空間部１４が形成されることを特徴とする請求項１に記載の履物中敷き。
【発明の詳細な説明】
【技術分野】
【０００１】
本発明は、履物中敷きに関するものであり、より詳細には、推進式転がり歩行を可能にした履物中敷きに補強部材を埋入設置して、中敷きの強度を上昇させることによって転がり歩行がより安定的になされるようにする一方、歩行または停止時に地面と足裏との間に緩衝作用をするようになって着地感を向上させて、使用者の体重を均一に分散して足の疲れ度を最小化するだけでなく、前記補強部材の一部を履物外側に露出するようにして美観を向上させるようにする履物中敷きに関するものである。
【背景技術】
【０００２】
一般に、履物は人体の足部位を保護するために着するものであり、多様な形態の履物が提供されており、特に、底部分は靴敷きとして歩行時の衝撃を緩和させて身体を保護するようになっている。
【０００３】
履物は、大きく足元全体を囲む甲皮部分と、この甲皮に結合されて足裏の底面を保護する底材、すなわち、靴敷きに区分されて、前記靴敷きは一般的に底敷き、中敷き及び下敷きの構造でなされている。
【０００４】
底敷きは実際地面に直接触れる部分としてある程度剛性を有して、摩擦によく耐える素材で製作され、中敷きは底敷きの上面に積層され、一般的にクッションを提供する構成でなされ、下敷きは足裏に直接触れる要素として、中敷きの上面に積層される。
【０００５】
このような履物敷きの場合、歩行時に地面から足裏に伝わる衝撃を吸収できるように履物の内側底面に下敷きを敷くか、または履物底敷きやかかと部分を緩衝力が優秀なゴムまたは発泡スポンジなどの材質でなされるなどの構成当が知られており、近来には靴敷きにエアバッグやスプリングなどの弾性体を形成して弾性効果を高めたものも広く知られている。
【０００６】
前記のようにゴムや発泡スポンジ材質で履物底敷きを製造するか、またはエアバッグやスプリングなどの弾性復元体を履物底敷きに内蔵させた場合には、単純な衝撃吸収の機能のみを遂行できるだけであり、歩行者のかかとから足指に至るまでおおよそ円弧形状をなしながら地面と接触するようになる歩行経路を基準にする場合、従来の一般な履物底敷きは、自然的で能率的な歩行を遂行するようにする側面にほとんど寄与することができないという問題点があった。
【０００７】
特に、最近になって生活水準の向上と週５日制勤務の拡散で野外活動を楽しむ人口が大きく増加しており、これによって野外活動を楽しむ人々がよりさらに優れた着心地を感じるようにすると共に、着用者の膝と足部位の関節及び足裏部分に無理が加えられないようにして、履物を履いて歩くことだけでも、健康増進に寄与できるようにする機能性履物の開発事業に履物製造業社らが多大な時間と努力を投資している。
【０００８】
前記のように履物に適用させることができる各種機能として、すべり防止機能と衝撃吸収機能及び通風による水虫防止と悪臭除去機能は既に活発に適用されており、歩行時の衝撃吸収と併せて、球が平面の上を踏みならすように自然で能率的な推進式歩行（以下、’転がり歩行’という）を行うようにする機能性履物も提供されている。
【０００９】
前記のように衝撃分散機能と転がり歩行を可能にさせる履物中敷きとして、本出願人の先特許登録第１０−０８８４６５９号の転がり歩行機能を有する履物中敷きが知られている。
【００１０】
本出願人によって先登録された前記履物中敷きは、中敷きの上部面に緩衝空間を形成させる一方、前記中敷きの底部には長さ方向に沿って一定な間隔を置いて凹溝部を形成させて、前記緩衝空間には凹溝部と対応される部分に沿ってリブが突出形成されるようにすることで、足裏全体面にわたって歩行経路に沿って円弧状で圧縮変形されることでさらに自然で能率的な推進式転がり歩行がなされるようにした。
【００１１】
しかし、このような本出願人の先登録特許は、履物中敷きの内部に緩衝空間と凹溝部が形成されている構成として、このような構成は歩行時に凹溝部によって歩行経路に沿って円弧状で圧縮変形がなされて推進式転がり歩行がなされるようになるが、凹溝部によって過度な圧縮変形がなされて柔軟性が非常に高くなるようになって、これによりむしろ歩行性及び安全性が改善されない問題点が発生された。
【発明の概要】
【発明が解決しようとする課題】
【００１２】
本発明は、前記のような従来の技術的限界を改善するために案出したものであり、本発明の履物中敷きは上部中敷きと下部中敷きで構成して、前記上下部中敷きの間には外部に露出する羽部が形成される補強部材を埋入設置するが、前記下部中敷きは、補強部材の羽部が安着される下敷片が形成されて、前記上部中敷きの底面には羽部が安着される安着溝を形成したものである。
【００１３】
前記のような本発明の履物中敷きは、歩行時に歩行経路に沿って圧縮変形がなされて推進式転がり歩行がなされる時、前記補強部材によって過度な圧縮変形がなされないように適切な剛性を付与して柔軟性を抑制することで転がり歩行がより安定的になされるようにすることを技術的課題とする。
【００１４】
また、本発明の履物中敷きは、使用者が履物を着した状態で歩行がなされるか、または停止状態の場合緩衝作用をするようになって着地感を向上させて、使用者の体重を均一に分散して足の疲れ度を最小化することができるようにすることを技術的課題とする。
【００１５】
また、本発明は、補強部材の外側に形成された羽部を履物の外部に露出するようにして、前記羽部の長さを変化させるか、または文字、図形などで形成することで履物全体の美観を向上させるようにすることを技術的課題とする。
【課題を解決するための手段】
【００１６】
本発明は、上部中敷きと下部中敷きでなされた履物中敷きが具備されて、前記上部中敷きと下部中敷きとの間には全体的に補強部材が埋入設置され、前記補強部材は足裏形状の補強板両側に羽部が一定な間隔で突出形成され、前記羽部の端部は上下方向に相互に連続反復折曲形成され、前記上下部中敷きの両側面には前記補強部材の羽部が配置される安着溝及び下敷片がそれぞれ形成され、前記羽部は前記履物中敷きの側面に露出することを特徴とする。
【００１７】
本発明の他の実施例として前記羽部は、甲皮側に長く形成して歩行時に均衡維持を向上させたことを特徴として、また他の実施例として前記羽部は射出成形時に隣合う羽部と連携して文字または図形で形成されることを特徴とし、また他の実施例として前記補強部材の補強板には幅方向に空間部が形成されることを特徴とする。
【発明の効果】
【００１８】
本発明の履物中敷きは、歩行時に歩行経路に沿って圧縮変形がなされて、推進式転がり歩行がなされる時、前記補強部材によって過度な圧縮変形がなされないように適切な剛性を付与して柔軟性を抑制することで転がり歩行がより安定的になされることができるし、使用者が履物を着した状態で歩行がなされるか、または停止状態である場合、緩衝作用をするようになって着地感を向上させて、使用者の体重を均一に分散して足の疲れ度を最小化することができるだけでなく、補強部材の外側に形成された羽部を履物の外部に露出するようにして、この羽部の長さを変化させるか、または文字、図形などで形成することで履物全体の美観を向上させる効果があるものである。
【図面の簡単な説明】
【００１９】
【図１】本発明による履物中敷きが適用された履物の一例を示した側面図である。
【図２】本発明による履物中敷きが適用された履物の一例を示した底面図である。
【図３】本発明の一実施例による履物中敷きと底敷きの分離斜視図である。
【図４】前記図３の側面図である。
【図５】本発明による結合された状態の履物中敷きの側断面図である。
【図６】前記図５のＡ−Ａ線断面図である。
【図７】前記図５のＢ−Ｂ線断面図である。
【図８ａ】ａ乃至ｃは、本発明による履物中敷きが適用された他の実施例を示した側面図である。
【図８ｂ】ａ乃至ｃは、本発明による履物中敷きが適用された他の実施例を示した側面図である。
【図８ｃ】ａ乃至ｃは、本発明による履物中敷きが適用された他の実施例を示した側面図である。
【図９】（Ａ）及び（Ｂ）は、本発明に適用される補強部材の他の実施例が適用された履物中敷きの断面図である。
【発明を実施するための形態】
【００２０】
本発明の内容を添付された一実施例としての図面を参照してさらに詳しく説明すると次のようである。
【００２１】
図１は、本発明による履物中敷きが適用された履物の一例を示した側面図であり、図２は本発明による履物中敷きが適用された履物の一例を示した底面図であり、図３は本発明の一実施例による履物中敷きと底敷きの分離斜視図であり、図４は前記図３の側面図であり、図５は本発明による結合された状態の履物中敷きの側断面図であり、図６は前記図５のＡ−Ａ線断面図であり、図７は前記図５のＢ−Ｂ線断面図である。
【００２２】
前記図１乃至図７を参照すると、本発明による履物中敷き３は、履物１の靴敷きを形成する要素のうちで１つとして、底敷き２の上側に付着されており、上部中敷き４と下部中敷き５との結合でなされていて、前記上部中敷き４と下部中敷き５との間に補強部材６が埋入設置されている。
【００２３】
前記補強部材６は、合成樹脂でなされて、上部中敷き４と下部中敷き５との間に配置されて、補強部材６は中間が補強板７で形成されていて、この補強板７の両側で羽部８が連続反復的に形成されている。
【００２４】
前記羽部８は、それぞれ別個に突出された形態をなしており、補強板７から外側に引き出された形態でなされて、その端部は弾性を有するようになる。
【００２５】
補強部材６は、履物中敷き３に埋入設置された状態で羽部８の端部は、中敷き３の側面で露出した形態に設置されるが、羽部８の端部は上側または下側に折曲された形態で構成されて、より強い弾性を取り揃えるようになる。
【００２６】
図面では羽部８が上側と下側に相互に反復形成された形態でなされているが、各羽部８が不規則的に上側または下側に折曲形成されることもでき、各羽部８及び補強板７には剛性を高めるために余肉としてのリブが形成されることができるし、このリブは各個体の中央や周縁部に形成されることができる。
【００２７】
このような補強部材６は、全体的に履物中敷き３の外郭形状に対応される形状でなされるようになって、足きびす部分ではより外郭が広い羽部でなされている。
【００２８】
前記補強部材６が中敷き３に埋入設置された状態をよく見れば、補強板７は中敷き３の内部に完全に埋入された状態になって、各羽部８の外側端部は中敷き３の側面に露出している形態になる。
【００２９】
前記羽部８の外側端部は、上側または下側に折曲形成されているが、上側に折曲された羽部８ａは、上部中敷き４の側面下端を囲むように密着された形態でなされて、下側に折曲された羽部８ｂは、下部中敷き５の側面上端を囲むように密着された形態で構成される。
【００３０】
すなわち、各羽部８の外側端部は、上部中敷き４と下部中敷き５の側面を囲んでカバーする形態でなされていて側面から見れば上下反復して行き異なるように突出された模様をなすようになる。
【００３１】
このように上側と下側に折曲突出される羽部８を安定的に固定させるために上部中敷き４の両側底面には上側に折曲された羽部８ａの端部を収容する安着溝１１が形成されて、上側に折曲される羽部がこの安着溝１１に安着された状態で接着固定されるようになっている。
【００３２】
これによって、履物の着用時に不規則的な方向に履物が流動されても、羽部８ａは中敷きと併せて弾性的な動きがあるだけで自分の位置を離脱しないで安定的な固定状態を維持できる。
【００３３】
前記下部中敷き５も上部中敷き４と同じく安着溝を形成することもできるが、図面では他の形態の実施例を示している。すなわち、下部中敷き５の両側面には下側に折曲形成される羽部８ｂに対応される位置に外側から割れた形態の下敷片１２がそれぞれ形成されている。
【００３４】
前記下敷片１２は、補強部材６の羽部８と同じく自由端を有する形態でなされて、それぞれ独立的に下側に折曲された羽部８ｂに対応接着されて、これによって下側に折曲された羽部８ｂは、そのそれぞれがよりさらに自由な弾性反応を有するようになる。
【００３５】
このように下側に折曲された羽部８ｂが上側に折曲された羽部８ａに比べて自由な弾性反応を有するようになることで、上側羽部８ａは履物を着する着用者の足をより安定的にかばい、履物下側の下部中敷き５は下敷片１２によって歩行時に歩行経路に沿って圧縮変形がなされて推進式転がり歩行が可能になり、下側に折曲された羽部８ｂによって歩行時安全性を有するようになるものである。
【００３６】
一方、本願発明による履物中敷き３の下側に接着される履物底敷き２は、通常の物が適用されることができるが、図面でのように連続反復的に凹凸を形成する形態でなされることができる。
【００３７】
すなわち、連続反復される凹凸で凹部１３に該当するものは、前記下側に折曲された羽部８ｂに対応されるものであり、前記羽部８ｂと結合された下部中敷き５の下敷片１２が前記凹部１３に対応されて接着固定され、これによって下側に折曲された各羽部８ｂが地面とより直接的に接触反応できるようにするものである。
【００３８】
このような履物底敷きの構成は、履物の用途や特性、そしてそれによる中敷きの形態によって多様な形態で適用されることができるであろう。
【００３９】
このように構成される本発明の作用を以下で説明する。
【００４０】
本発明による履物中敷き３、すなわち、上部中敷き４と下部中敷き５との間に補強部材６を接着剤として埋入設置して履物中敷き３を形成した後、前記下部中敷き５の底面には履物底敷き２を、そして上部中敷き４の上面には図１に示されたところのように甲皮を設置して履物を製造するようになる。
【００４１】
このような履物を使用者が着するようになれば、上部中敷き４の安着溝１１に安着固定されて、上側に折曲された羽部８ａによって履物の甲皮部分を囲むようになることによって、着用者の足を支持してくれる役割をするようになって、着心地と安全性を高めるようになるものである。
【００４２】
前記のように使用者が履物を着した状態で歩行がなされるようになれば、歩行経路によって下敷片１２によって下部中敷き５と上部中敷き４が圧縮変形がなされて推進式転がり歩行がなされるようになって、この時、前記補強部材６によって上下部中敷き４、５が過度な圧縮変形がなされないように適切な剛性を付与するようになって、柔軟性を抑制することによって転がり歩行がより安定的になされるようになるものである。
【００４３】
一方、使用者が履物を着した状態で歩行がなされるか、または停止状態である場合、下側に折曲された羽部８ｂと下部中敷き５に形成された下敷片１２が緩衝作用をするようになって着地感を向上させるだけでなく、使用者の体重を均一に分散させることで足の疲れ度を最小化するようになるものである。
【００４４】
図８ａ乃至図８ｃは、本発明による履物中敷きが適用された他の実施例を示した側面図である。
【００４５】
すなわち、図８ａは、補強部材６に上側に折曲形成された羽部８を甲皮側に長く形成して、歩行時に使用者足の均衡維持をさらに維持向上させたものであり、図８ｂは羽部８の射出成形時に隣合う羽部８と連携して文字または図形を形成させることで視覚的に美感を得るようにしたものであり、図８ｃは羽部８を甲皮側に長く形成する図８ａと文字または図形を形成させた図８ｂをすべて適用して均衡維持と視覚的な美感を同時に得るようにしたものである。
【００４６】
図９のＡ及びＢは、本発明に適用される補強部材の他の実施例が適用された履物中敷きの断面図であり、補強部材６の補強板７には幅方向に空間部１４を形成して歩行時に前記空間部１４によって体重を分散させるようにしたものである。
【００４７】
以上で説明して図示したところのような本発明は、前記の実施例に限定する主旨ではなくて、本発明の要旨を脱しない範囲内で多様な形態に変更実施されることができるであろう。
【００４８】
例えば、前記補強部材の羽部は、その形状が必要によって多様な形態で実施されることができるはずであるし、折曲される形態とこれに対応される中敷きの構成も必要によっていくらでも変形された形態で実施されることができるであろう。
【符号の説明】
【００４９】
１  履物
２  履物底敷き
３  履物中敷き
４  上部中敷き
５  下部中敷き
６  補強部材
７  補強板
８  羽部
１１  安着溝
１２  下敷片
１３  凹部
１４  空間部
【図１】
2012075864.tif 000003
【図２】
2012075864.tif 000004
【図３】
2012075864.tif 000005
【図４】
2012075864.tif 000006
【図５】
2012075864.tif 000007
【図６】
2012075864.tif 000008
【図７】
2012075864.tif 000009
【図８ａ】
2012075864.tif 000010
【図８ｂ】
2012075864.tif 000011
【図８ｃ】
2012075864.tif 000012
【図９】
2012075864.tif 000013